Podtech/llm-jp-corpus-v4-ja_patent huggingface dataset:
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
少なくとも１つの脊髄分節の屈曲を制限するためのデバイスであって、前記構造は、
少なくとも１つの上棘突起および少なくとも１つの下棘突起または仙骨を連結するように適合される拘束部を備え、
前記拘束部は、（１）前記脊髄分節が中立位置にあるときに、前記棘突起または棘突起および仙骨を覆った締め付けを可能にするように調整可能である寸法を有し、（２）７．５Ｎ／ｍｍから２０Ｎ／ｍｍの範囲の前記中立位置を越える前記脊髄分節の屈曲に対する弾性抵抗を提供し、
前記拘束部は、前記上棘突起に連結されるように適合される上テザー構造と、前記下棘突起または仙骨に連結されるように適合される下テザー構造と、少なくとも１つの柔軟部材とを備え、前記テザー構造は、実質的に非伸張性であり、前記柔軟部材は、前記屈曲に対する抵抗を提供し、前記少なくとも２つの柔軟部材が、前記テザー構造が前記棘突起または棘突起および仙骨を覆って配置されるときに正中線の両側に位置するように適合され、
前記拘束構造の前記テザーは、典型的な生理的荷重における１００万サイクル後に、１０％より小さいクリープを起こす、デバイス。
【請求項２】
前記拘束部は、３Ｎ／ｍｍ未満、通常は０．５Ｎ／ｍｍ未満である、前記中立位置を越える伸張に対する弾性抵抗を提供する、請求項１に記載のデバイス。
【請求項３】
前記拘束部は、変形を開始する前に克服されなければならない、屈曲に対する初期抵抗力を提供するように、５Ｎから２５Ｎの範囲で力を及ぼすように事前緊張され得る、請求項１または２に記載のデバイス。
【請求項４】
前記上テザー構造は、上棘突起に連結されるように適合され、右連結分節および左連結分節を有し、
前記下テザー構造は、下棘突起または仙骨に連結するように適合され、右連結分節および左連結分節を有し、
前記柔軟部材は、
前記上テザー構造の前記右連結分節に接続可能な上端と、前記下テザー構造の前記右連結分節に接続可能な下端とを有する張力要素を含む右柔軟部材と、
前記上テザー構造の前記左連結分節に接続可能な上端と、前記下テザー構造の前記左連結分節に接続可能な下端とを有する張力要素を含む左柔軟部材と
を含む、請求項１または２に記載のデバイス。
【請求項５】
前記テザー構造は、隣接する上棘突起および下棘突起の上面および下面を覆って配置されるように適合される細長いバンドを備え、各テザー構造の前記連結分節は、軸外荷重を最小限化するように、前記柔軟部材の前記端の中心付近で前記張力要素に接続される、請求項１〜４のいずれかに記載のデバイス。
【請求項６】
前記上テザー構造の１つの連結分節は、埋込の前に一方の柔軟部材に事前に取り付けられ、前記下テザー構造の１つの連結分節は、埋込の前に他方の柔軟部材に事前に取り付けられる、請求項４または５に記載のデバイス。
【請求項７】
前記柔軟部材のそれぞれは、前記張力要素を覆う鞘をさらに備える、請求項１〜６のいずれかに記載のデバイス。
【請求項８】
前記柔軟部材のそれぞれは、伸長を限定する要素をさらに備え、前記伸長の限定は、１０ｍｍを越える前記張力要素の伸長を防止する、請求項１〜７のいずれかに記載のデバイス。
【請求項９】
前記柔軟部材のそれぞれは、上テザーコネクタおよび下テザーコネクタを有するコイルバネを備え、前記テザーコネクタの一方は、調整可能な取付のために適合され、前記テザーコネクタのもう一方は、固定した取付のために適合される、請求項１〜８のいずれかに記載のデバイス。
【請求項１０】
前記コイルバネおよびテザーコネクタは、単一片の材料から形成される、請求項９に記載のデバイス。
【請求項１１】
前記コイルバネおよびテザーコネクタは、メタルブランクから鋳造、機械加工、または切断される、請求項９に記載のデバイス。
【請求項１２】
前記コイルバネおよびテザーコネクタは、ポリマー材料から成形、機械加工、または切断される、請求項９に記載のデバイス。
【請求項１３】
前記張力要素は、前記テザーコネクタを画定するように上端および下端において形成された特徴を有する機械加工またはレーザ切断されたチタンストックを備え、一方の特徴は、一方のテザー構造の連結分節を調整可能に受容するための回転式ローラを有する横穴を備え、もう一方の特徴は、もう一方のテザー構造の連結分節を固定して受容するためのピンを有する横穴を備える、請求項４または５に記載のデバイス。
【請求項１４】
前記張力要素のそれぞれは、３．７５Ｎ／ｍｍから８．７５Ｎ／ｍｍの範囲のバネ定数を有する、請求項１３に記載のデバイス。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
（ａ）ポリフッ化ビニリデン（ＰＶＤＦ）ポリマーまたはポリフッ化ビニリデンコポリマーの内部層と；
（ｂ）前記内部ＰＶＤＦ層上に管状に押出された、７０〜９０のショアＡ硬度、４０００〜７０００ｐｓｉの引張り強度を有する熱可塑性ポリウレタン（ＴＰＵ）中間層と；
（ｃ）前記中間層の外側表面上に管状に押出されこの表面と同一の広がりを有する、可塑剤および／または安定剤を含み、１２００〜３０００ｐｓｉの引張り強度を有するポリ塩化ビニルポリマーと、
を含む揮発性炭化水素の輸送のための非導電性可撓性管状燃料ホース。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
電動モータを動作して駐車ブレーキを行うディスクブレーキ装置において、
ディスクを挟んでその両側に配置される一対のパッドと、
有底のシリンダ内に摺動可能に配設したピストンを推進し、前記一対のパッドを前記ディスクに押圧させて制動力を発生するキャリパと、
制動位置まで移動させられた前記ピストンを、当該制動位置に機械的に保持する駐車ブレーキ機構と、
前記電動モータを制御する制御装置と、を備え、
前記制御装置は、前記パッドが前記ディスクを押圧する方向に動作している場合、前記ピストンに作用している液圧に基づいて前記電動モータを制御する、ことを特徴とするディスクブレーキ装置。
【請求項２】
前記ピストンは、ブレーキペダルの操作に伴う液圧供給によって推進し、
前記駐車ブレーキ機構は、前記液圧供給により推進した前記ピストンを液圧解放後も機械的に前記制動位置に保持させる、請求項１記載のディスクブレーキ装置。
【請求項３】
前記ピストンに作用している液圧として、マスタシリンダ圧を用いる、請求項１又は２記載のディスクブレーキ装置。
【手続補正２】
【補正対象書類名】明細書
【補正対象項目名】０００６
【補正方法】変更
【補正の内容】
【０００６】
上記課題を解決するために、本発明は、電動モータを動作して駐車ブレーキを行うディスクブレーキ装置において、ディスクを挟んでその両側に配置される一対のパッドと、
有底のシリンダ内に摺動可能に配設したピストンを推進し、前記一対のパッドを前記ディスクに押圧させて制動力を発生するキャリパと制動位置まで移動させられた前記ピストンを、当該制動位置に機械的に保持する駐車ブレーキ機構と前記電動モータを制御する制御装置と、を備え、前記制御装置は、前記パッドが前記ディスクを押圧する方向に動作している場合、前記ピストンに作用している液圧に基づいて前記電動モータを制御することを特徴とする。
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技の進行を制御する遊技制御手段と、
前記遊技制御手段からのコマンドにもとづいて遊技機に設けられている電気部品を制御する電気部品制御手段とを備え、
前記遊技制御手段は、前記電気部品制御手段にコマンドを送信するコマンド送信手段を含み、
前記電気部品制御手段は、
前記遊技制御手段から受信したコマンドを格納するための複数のコマンド格納エリアと、
前記コマンド格納エリアに、コマンドが格納されているか否かを確認可能な情報が設定されるコマンド有無確認エリアと、
コマンドの受信に際してエラーが生じているか否かを示す情報が設定されるコマンドエラー確認エリアと、
前記コマンド格納エリアからコマンドを読み出す読出手段とを含み、
前記コマンドエラー確認エリアの情報は、前記コマンド有無確認エリアから情報が読み出されるとクリアされるように構成され、
前記読出手段が前記コマンド格納エリアからコマンドを読み出す前に、前記コマンドエラー確認エリアの情報を読み出して保存するエラー情報保存手段と、
前記読出手段が前記コマンド格納エリアからコマンドを読み出す際に、保存されている前記コマンドエラー確認エリアの情報にもとづいてコマンドにエラーが生じているか否か判定する判定手段とをさらに含み、
前記遊技制御手段は、変動表示を開始するときに、特定遊技状態に制御するか否かとともに、前記変動表示における特定演出の実行態様と、前記変動表示における前記特定演出以外の通常演出の実行態様とを決定する開始時決定手段を含み、
前記コマンド送信手段は、コマンドとして、前記開始時決定手段により決定された前記通常演出の実行態様を指示する第１コマンドと、前記開始時決定手段により決定された前記特定演出の実行態様を指示する第２コマンドとを送信し、
前記電気部品制御手段は、前記コマンド送信手段から送信される第１コマンドと第２コマンドにもとづいて前記変動表示を制御する演出制御手段を、含む
ことを特徴とする遊技機。
【手続補正２】
【補正対象書類名】明細書
【補正対象項目名】００１１
【補正方法】変更
【補正の内容】
【００１１】
（１）本発明による遊技機は、遊技が可能な遊技機であって、遊技の進行を制御する遊技制御手段（例えば、遊技制御用マイクロコンピュータ５６０）と、遊技制御手段からのコマンドにもとづいて遊技機に設けられている電気部品（例えば、演出制御装置９）を制御する電気部品制御手段（例えば、演出制御手段としての演出制御用マイクロコンピュータ１００）とを備え、遊技制御手段は、電気部品制御手段にコマンドを送信するコマンド送信手段（例えば、遊技制御用マイクロコンピュータ５６０におけるステップＳ４０１〜Ｓ４０４の処理を実行する部分）を含み、電気部品制御手段は、遊技制御手段から受信したコマンドを格納するための複数のコマンド格納エリア（例えば、図１４に示すＦＩＦＯによる受信バッファ）と、コマンド格納エリアに、コマンドが格納されているか否かを確認可能な情報が設定されるコマンド有無確認エリア（例えば、図１５に示す受信制御レジスタにおける受信データレディビット）と、コマンドの受信に際してエラーが生じているか否かを示す情報が設定されるコマンドエラー確認エリア（例えば、図１５に示す受信制御レジスタにおけるエラービット）と、コマンド格納エリアからコマンドを読み出す読出手段（例えば、演出制御用マイクロコンピュータ１００におけるステップＳ６０４の処理を実行する部分）とを含み、コマンドエラー確認エリアの情報は、コマンド有無確認エリアから情報が読み出されるとクリアされるように構成され、読出手段がコマンド格納エリアからコマンドを読み出す前に、コマンドエラー確認エリアの情報を読み出して保存するエラー情報保存手段（例えば、演出制御用マイクロコンピュータ１００におけるステップＳ６０１，Ｓ６０２の処理を実行する部分）と、読出手段がコマンド格納エリアからコマンドを読み出す際に、保存されているコマンドエラー確認エリアの情報にもとづいてコマンドにエラーが生じているか否か判定する判定手段（例えば、演出制御用マイクロコンピュータ１００におけるステップＳ６０５の処理を実行する部分）とをさらに含み、前記遊技制御手段は、変動表示を開始するときに、特定遊技状態に制御するか否かとともに、前記変動表示における特定演出の実行態様と、前記変動表示における前記特定演出以外の通常演出の実行態様とを決定する開始時決定手段を含み（例えば、遊技制御用マイクロコンピュータ５６０におけるステップＳ３００、Ｓ３０１の処理を実行する部分）、前記コマンド送信手段は、コマンドとして、前記開始時決定手段により決定された前記通常演出の実行態様を指示する第１コマンド（例えば、擬似連の有無、滑り演出の有無等、リーチとなる以前（リーチとならない場合には所謂第２停止の前）の変動時間や変動態様（通常演出）を示すコマンド）と、前記開始時決定手段により決定された前記特定演出の実行態様を指示する第２コマンド（例えば、リーチの種類や再抽選演出の有無等、リーチとなった以降（リーチとならない場合には所謂第２停止の後）の変動時間や変動態様（特定演出）を示すコマンド）とを送信し、前記電気部品制御手段は、前記コマンド送信手段から送信される第１コマンドと第２コマンドにもとづいて前記変動表示を制御する演出制御手段（例えば、演出制御用マイクロコンピュータ１００が２つのコマンドの組合せから導かれる変動時間にもとづいて変動表示における演出制御を行う部分）を、含むことを特徴とする。
そのような構成によれば、コマンドの受信に際してエラーが生じているか否かを示す情報が失われることが防止されるので、コマンドの受信に際してエラーが生じたときに適切にエラーの発生を検出することができる。
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
開始条件が成立したことにもとづいて、各々を識別可能な複数種類の識別情報の可変表示を行い表示結果としてあらかじめ定められた特定表示結果が導出表示されたときに遊技者にとって有利な特定遊技状態に制御する遊技機であって、
未だ前記開始条件が成立していない識別情報の可変表示について、保留記憶として記憶する保留記憶手段と、
前記保留記憶手段に記憶されている保留記憶の各々に対応して第１の表示態様または第２の表示態様で保留表示を表示する保留表示手段と、
前記開始条件が成立する前に、識別情報の可変表示の表示結果が前記特定表示結果となるか否かを判定する開始前判定手段と、
前記開始前判定手段の判定結果にもとづいて、前記保留表示手段において前記第２の表示態様で保留表示を表示する保留予告演出を実行する保留予告演出実行手段と、
所定条件が成立したことにもとづいて前記保留表示手段において保留表示を所定期間非表示状態とする非表示制御を実行する保留表示制御手段とを備え、
前記保留予告演出実行手段は、前記非表示制御が実行されている場合に、前記保留予告演出を制限可能であり、
前記保留表示制御手段は、前記保留予告演出が制限された後に、前記非表示制御を終了するときに、前記第１の表示態様で保留表示を表示可能であり、
演出が表示される副演出表示装置をさらに備え、
前記保留表示手段は、前記副演出表示装置の表示画面に設けられ、
前記保留予告演出実行手段は、前記副演出表示装置において前記保留予告演出を実行する
ことを特徴とする遊技機。
【請求項２】
各々を識別可能な複数種類の普通識別情報の可変表示を行い表示結果を導出表示する普通可変表示手段と、
前記普通可変表示手段における普通識別情報の可変表示の表示結果として普通特定表示結果が導出表示されたときに遊技者にとって有利な開放状態に変化する可変入賞手段と、
前記可変入賞手段が前記開放状態に変化するか否かを示唆する演出を実行する示唆演出実行手段と、を備える
ことを特徴とする請求項１に記載の遊技機。
【手続補正２】
【補正対象書類名】明細書
【補正対象項目名】００１０
【補正方法】変更
【補正の内容】
【００１０】
そこで、本発明は、遊技の興趣を向上させた遊技機を提供することを目的とする。
【手続補正３】
【補正対象書類名】明細書
【補正対象項目名】００１１
【補正方法】変更
【補正の内容】
【００１１】
（１）本発明による遊技機は、開始条件が成立したこと（例えば、第１特別図柄および第２特別図柄のいずれの可変表示も実行されておらず、かつ大当り遊技状態でもないこと）にもとづいて、各々を識別可能な複数種類の識別情報（例えば、第１特別図柄、第２特別図柄、演出図柄）の可変表示を行い表示結果としてあらかじめ定められた特定表示結果（例えば、大当り図柄）が導出表示されたときに遊技者にとって有利な特定遊技状態（例えば、大当り遊技状態）に制御する遊技機であって、未だ開始条件が成立していない識別情報の可変表示について、保留記憶として記憶する保留記憶手段（例えば、第１保留記憶バッファ、第２保留記憶バッファ）と、保留記憶手段に記憶されている保留記憶の各々に対応して第１の表示態様（例えば、緑色の丸形表示）または第２の表示態様（例えば、青色、赤色、虹色の丸形表示）で保留表示を表示する保留表示手段（例えば、第１保留記憶表示部９ａ、第２保留記憶表示部９ｂ）と、開始条件が成立する前に、識別情報の可変表示の表示結果が特定表示結果となるか否かを判定する開始前判定手段（例えば、遊技制御用マイクロコンピュータ５６０におけるＳ１２１７Ａ，Ｓ１２１７Ｂを実行する部分）と、開始前判定手段の判定結果にもとづいて、保留表示手段において第２の表示態様で保留表示を表示する保留予告演出（例えば、保留予告演出）を実行する保留予告演出実行手段（例えば、演出制御用マイクロコンピュータ１００におけるＳ６０１１，Ｓ６０１２を実行する部分）と、所定条件が成立したこと（例えば、可動物予告演出やスーパーリーチ演出が実行されていること）にもとづいて保留表示手段において保留表示を非表示状態とする非表示制御を実行する保留表示制御手段（例えば、演出制御用マイクロコンピュータ１００におけるＳ８１０６〜Ｓ８１１４を実行する部分）とを備え、保留予告演出実行手段は、非表示制御が実行されている場合に、保留予告演出を制限可能であり（例えば、演出制御用マイクロコンピュータ１００は、Ｓ６０００でＹのとき、Ｓ６００１以降の処理に移行することなく保留予告演出処理（１）を終了する）、保留表示制御手段は、保留予告演出が制限された後に、非表示制御を終了するときに、第１の表示態様で保留表示を表示可能であり（例えば、演出制御用マイクロコンピュータ１００におけるＳ７００７，Ｓ７００８を実行する部分）、演出が表示される副演出表示装置（例えば副演出表示装置９１など）をさらに備え、前記保留表示手段は、前記副演出表示装置の表示画面に設けられ、前記保留予告演出実行手段は、前記副演出表示装置において前記保留予告演出を実行することを特徴とする。そのような構成により、遊技に対する興趣を低下させてしまうことを防止することができる。
なお、「保留予告演出を制限する」とは、保留予告演出の制限期間内に発生した始動入賞（始動領域への遊技媒体の通過）に対応する保留記憶に対して、全く保留予告演出の設定を行わず保留予告演出を実行しない概念と、保留予告演出の開始タイミングを遅らせる概念との両方を含む。さらに、「保留予告演出を制限する」という概念には、既に現在表示中である保留表示に対応する保留記憶に対して、遡及的に保留予告演出を実行することを禁止したり、保留予告演出の開始タイミングを遅らせたりすることも含まれる。
上記（１）の遊技機において、各々を識別可能な複数種類の普通識別情報の可変表示を行い表示結果を導出表示する普通可変表示手段と、前記普通可変表示手段における普通識別情報の可変表示の表示結果として普通特定表示結果が導出表示されたときに遊技者にとって有利な開放状態に変化する可変入賞手段と、前記可変入賞手段が前記開放状態に変化するか否かを示唆する演出を実行する示唆演出実行手段と、を備えるようにしてもよい。
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役を含む複数種類の役の当否を決定する内部抽選を行う内部抽選手段と、
前記複数のリールを遊技毎に回転させ、停止操作を契機として、前記内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて役が入賞したと判定する入賞判定手段と、
前記小役の入賞に伴い、入賞した前記小役の配当に基づいて遊技媒体の払出数を決定する制御を行う払出制御手段とを備えた遊技機であって、
前記小役として、第１の小役と第２の小役と第３の小役とが設定されており、
前記第１の小役の配当は前記第２の小役の配当および前記第３の小役の配当よりも高く設定されており、
前記内部抽選手段が、
前記第１の小役と前記第２の小役と前記第３の小役とが重複して当選する特定当選態様が存在するように内部抽選を行い、
前記第２の小役の入賞形態と前記第３の小役の入賞形態とは、前記複数のリールのうち特定リールについて共通の図柄が割り当てられており、
前記リール制御手段が、
内部抽選の結果が前記特定当選態様である場合に、停止操作の順序として正解打順と不正解打順とが予め設定されており、正解打順では前記第１の小役の入賞形態を構成する図柄を優先的に有効ライン上に表示させ、不正解打順では前記第１の小役の入賞を回避し、不正解打順であって前記特定リールが最初に停止する場合には前記第２の小役および前記第３の小役の入賞形態を構成する前記共通の図柄を優先的に有効ライン上に表示させるように回転中のリールの停止位置を決定することを特徴とする遊技機。
【請求項２】
請求項１において、
前記リール制御手段が、
内部抽選の結果が前記特定当選態様である場合に、正解打順では前記小役の入賞に伴う遊技媒体の払出数が多くなる停止位置を優先し、不正解打順では有効ライン上に表示可能な図柄組合せの種類が多くなる停止位置を優先して回転中のリールの停止位置を決定することを特徴とする遊技機。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
第１制御手段と第２制御手段とを有し、遊技媒体を循環させる循環経路を有する封入式遊技機で遊技者により遊技が行なわれる遊技機と、該遊技機と通信可能に接続され、遊技者所有の有価価値を用いて該遊技機での遊技を可能にする遊技用装置とを備える遊技用システムであって、
前記第１制御手段は、当該第１制御手段を識別するための第１識別情報を記憶し、
前記第２制御手段は、当該第２制御手段を識別するための第２識別情報を記憶しており、
前記第１制御手段は、
前記第２制御手段に対して記憶している前記第２識別情報を送信するように要求する識別要求手段と、
前記識別要求手段の要求に応答して前記第２制御手段が送信する前記第２識別情報を受信する識別受信手段と、
前記識別受信手段で受信した前記第２識別情報を、記憶している前記第１識別情報とともに前記遊技用装置へ送信する識別送信手段とを含み、
前記遊技用装置は、送信されてきた前記第１識別情報と前記第２識別情報との真正を上位装置へ問合せる問合せ手段を含む、遊技用システム。
【請求項２】
第１制御手段と第２制御手段とを有し、遊技媒体を循環させる循環経路を有する封入式遊技機で、遊技者所有の遊技用価値を用いて持点を加算する遊技用装置と通信可能に接続するための接続部を備え、持点による遊技が可能であり、入賞の発生に応じて持点が加算される遊技機であって、
前記第１制御手段は、当該第１制御手段を識別するための第１識別情報を記憶し、
前記第２制御手段は、当該第２制御手段を識別するための第２識別情報を記憶しており、
前記第１制御手段は、
前記第２制御手段に対して記憶している前記第２識別情報を送信するように要求する識別要求手段と、
前記識別要求手段の要求に応答して前記第２制御手段が送信する前記第２識別情報を受信する識別受信手段と、
前記識別受信手段で受信した前記第２識別情報を、記憶している前記第１識別情報とともに、前記第１識別情報と前記第２識別情報との真正を上位装置へ問合せる前記遊技用装置へ送信する識別送信手段とを含む、遊技機。
【請求項３】
前記遊技用装置は、前記遊技機との間で認証を行なった後に、前記問合せ手段を実行する、請求項１に記載の遊技用システム。
【請求項４】
前記第１制御手段は、前記遊技用装置との間で認証を行なった後に、前記遊技用装置に対して前記第１識別情報および前記第２識別情報を送信する、請求項２に記載の遊技機。
【手続補正２】
【補正対象書類名】明細書
【補正対象項目名】０００７
【補正方法】変更
【補正の内容】
【０００７】
（１）  本発明は、第１制御手段（払出制御部１７を有するＬＳＩ７９９）と第２制御手段（主制御基板１６）とを有し、遊技媒体を循環させる循環経路を有する封入式遊技機で遊技者により遊技が行なわれる遊技機（パチンコ機２、スロットマシン２Ｓ）と、該遊技機と通信可能に接続され、遊技者所有の有価価値（残高、貯玉、遊技玉数、現金など）を用いて該遊技機での遊技を可能にする遊技用装置（カードユニット３）とを備える遊技用システムであって、
前記第１制御手段は、当該第１制御手段を識別するための第１識別情報（払出チップＩＤ）を記憶し（図６、図１０４）、
前記第２制御手段は、当該第２制御手段を識別するための第２識別情報（メインチップＩＤ）を記憶しており（図６、図１０４）、
前記第１制御手段は、
前記第２制御手段に対して記憶している前記第２識別情報を送信するように要求する識別要求手段と、
前記識別要求手段の要求に応答して前記第２制御手段が送信する前記第２識別情報（図７８；メインチップＩＤ、チップメーカーコード、遊技機メーカーコード、遊技機製品コードを機器報応答として送信）を受信する識別受信手段と、
前記識別受信手段で受信した前記第２識別情報を、記憶している前記第１識別情報とともに前記遊技用装置へ送信する識別送信手段（図１６、図７８；受信した情報と払出チップＩＤとをカードユニットへ通知）とを含み、
前記遊技用装置は、送信されてきた前記第１識別情報と前記第２識別情報との真正を上位装置へ問合せる問合せ手段（図１６；上位サーバに機器情報（チップＩＤ等）を問合せる）を含む。
【手続補正３】
【補正対象書類名】明細書
【補正対象項目名】００１６
【補正方法】変更
【補正の内容】
【００１６】
（５）  本発明の他の態様は、第１制御手段（払出制御部１７を有するＬＳＩ７９９）と第２制御手段（主制御基板１６）とを有し、遊技媒体を循環させる循環経路を有する封入式遊技機で、遊技者所有の遊技用価値（残高、貯玉、遊技玉数、現金など）を用いて持点を加算する遊技用装置（カードユニット３）と通信可能に接続するための接続部（コネクタ２０）を備え、持点による遊技が可能であり、入賞の
発生に応じて持点が加算される遊技機（パチンコ機２、スロットマシン２Ｓ）であって、
前記第１制御手段は、当該第１制御手段を識別するための第１識別情報（払出チップＩＤ）を記憶し（図６、図１０４）、
前記第２制御手段は、当該第２制御手段を識別するための第２識別情報（メインチップＩＤ）を記憶しており（図６、図１０４）、
前記第１制御手段は、
前記第２制御手段に対して記憶している前記第２識別情報を送信するように要求する識別要求手段と、
前記識別要求手段の要求に応答して前記第２制御手段が送信する前記第２識別情報（図７８；メインチップＩＤ、チップメーカーコード、遊技機メーカーコード、遊技機製品コードを機器報応答として送信）を受信する識別受信手段と、
前記識別受信手段で受信した前記第２識別情報を、記憶している前記第１識別情報とともに、前記第１識別情報と前記第２識別情報との真正を上位装置へ問合せる（図１６；上位サーバに機器情報（チップＩＤ等）を問合せる）前記遊技用装置へ送信する識別送信手段（図１６、図７８；受信した情報と払出チップＩＤとをカードユニットへ通知）とを含む。
【手続補正４】
【補正対象書類名】明細書
【補正対象項目名】００１７
【補正方法】変更
【補正の内容】
【００１７】
このような構成によれば、第１制御手段を識別するための第１識別情報と第２制御手段を識別するための第２識別情報との真正が、遊技用装置によって上位装置へ問合せられるために、遊技機における第１制御手段および第２制御手段の両制御手段について、不正行為に対する監視を行なうことができる。しかも、第１識別情報が第１制御手段から遊技用装置へ送信され、第２識別情報もその第１制御手段を経由して遊技用装置へ送信されるために、第１識別情報の遊技用装置への送信機能を第２識別情報の遊技用装置への送信に兼用することが可能となる。
（６）  上記（１）の遊技用システムにおいて、前記遊技用装置は、前記遊技機との間で認証を行なった後に、前記問合せ手段を実行する。
（７）  上記（５）の遊技機において、前記第１制御手段は、前記遊技用装置との間で認証を行なった後に、前記遊技用装置に対して前記第１識別情報および前記第２識別情報を送信する。
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
12〜35ヌクレオチドの長さで、ヒトハンチンチンをコードする核酸を標的とし、SEQ ID NO: 4に対して95％相補的であり、そしてヒトハンチンチンの発現を阻害する、一本鎖アンチセンスオリゴヌクレオチドを含む、ヒトにおいてハンチントン病を治療するための医薬組成物。
【請求項２】
アンチセンスオリゴヌクレオチドが、SEQ ID NO: 4に対して100％相補的である、請求項1に記載の医薬組成物。
【請求項３】
アンチセンスオリゴヌクレオチドが、17〜25ヌクレオチドの長さ、19〜23ヌクレオチドの長さ、または20ヌクレオチドの長さ、である、請求項1または2に記載の医薬組成物。
【請求項４】
少なくとも1つの修飾されたヌクレオシド間結合、糖部分、または核酸塩基を有する、請求項1〜3のいずれか1項の医薬組成物。
【請求項５】
5'ウィングセグメントと3'ウィングセグメントとの間に位置するギャップセグメントを有するキメラオリゴヌクレオチドを含む、請求項1〜4のいずれか1項の医薬組成物。
【請求項６】
キメラオリゴヌクレオチドのギャップセグメントが2'-デオキシヌクレオチドを含み、そしてウィングセグメントが修飾された糖部分を有するヌクレオチドを含む、請求項5の医薬組成物。
【請求項７】
修飾された糖部分が2'-MOE、2'-OMe、または二環式核酸である、請求項6の医薬組成物。
【請求項８】
キメラオリゴヌクレオチドのギャップセグメントが10個の2'-デオキシヌクレオチドからなり、また、各ウィングセグメントが5個の2'-O-メトキシエチル-修飾ヌクレオチドからなる、請求項6の医薬組成物。
【請求項９】
少なくとも1個の修飾されたヌクレオシド間結合を有する、請求項4の医薬組成物。
【請求項１０】
各ヌクレオシド間結合が、ホスホロチオエートヌクレオシド間結合である、請求項9の医薬組成物。
【請求項１１】
各シトシンが、5-メチルシトシンである、請求項4の医薬組成物。
【請求項１２】
20ヌクレオチドの長さであり、5'ウィングセグメントと3'ウィングセグメントとの間に位置するギャップセグメントを有するキメラオリゴヌクレオチドを含み、キメラオリゴヌクレオチドのギャップセグメントが10個の2'-デオキシヌクレオチドからなり、そして各ウィングセグメントが5個の2'-O-メトキシエチル-修飾ヌクレオチドからなる、請求項1〜3のいずれか1項の医薬組成物。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
原水中の殺菌有効成分を還元して還元水を得る還元工程と、
前記還元水に含まれる陰イオンを除去して、陰イオン交換処理水を得るイオン交換工程と、
前記陰イオン交換処理水を逆浸透膜によって処理して透過水を得る逆浸透膜処理工程と
を備える水処理方法。
【請求項２】
電荷を持たない有機化合物である無電荷有機物と結合してイオン体を形成するイオン体形成物質を、前記還元水および／または前記陰イオン交換処理水へ添加する添加工程をさらに備え、
前記逆浸透膜処理工程において、さらに前記無電荷有機物が除去された前記透過水が得られる、請求項１に記載の水処理方法。
【請求項３】
前記還元工程が、
還元剤が内部に充填された第１反応槽および第２反応槽と、これらの槽の上端部を繋げる連通部とを備える還元装置を用い、
前記第１反応槽内へ前記原水を上向きに通水し、前記第１反応槽の上端部から流出した前記原水を、連通部を介して前記第２反応槽内に流入させ、前記第２反応槽内では前記原水を下向きに通水させて、前記第２反応槽の下部から排出させた前記還元水を得る処理［α］と、
前記第２反応槽内へ前記原水を上向きに通水し、前記第２反応槽の上端部から流出した前記原水を、連通部を介して前記第１反応槽内に流入させ、前記第１反応槽内では前記原水を下向きに通水させて、前記第１反応槽の下部から排出させた前記還元水を得る処理［β］と
の２つの処理を交互に行う、請求項１または２に記載の水処理方法。
【請求項４】
前記原水中の殺菌有効成分を還元して還元水を排出する還元部と、
前記還元水を受け入れ、前記還元水に含まれる陰イオンを除去して、陰イオン交換処理水を排出するイオン交換部と、
前記陰イオン交換処理水を逆浸透膜によって処理して透過水を排出する逆浸透膜処理部と
を有する水処理装置。
【請求項５】
電荷を持たない有機化合物である無電荷有機物と結合してイオン体を形成するイオン体形成物質を、前記還元水および／または前記陰イオン交換処理水へ添加する添加手段をさらに有し、
前記逆浸透膜処理部において、さらに前記無電荷有機物が除去された前記透過水が得られる、請求項４に記載の水処理装置。
【請求項６】
前記還元部が、
還元剤が内部に充填された第１反応槽および第２反応槽と、これらの槽の上端部を繋げる連通部とを有する還元装置であって、
前記第１反応槽内へ前記原水を上向きに通水し、前記第１反応槽の上端部から流出した前記原水を、連通部を介して前記第２反応槽内に流入させ、前記第２反応槽内では前記原水を下向きに通水させて、前記第２反応槽の下部から排出させた前記還元水を得る処理［α］と、
前記第２反応槽内へ前記原水を上向きに通水し、前記第２反応槽の上端部から流出した前記原水を、連通部を介して前記第１反応槽内に流入させ、前記第１反応槽内では前記原水を下向きに通水させて、前記第１反応槽の下部から排出させた前記還元水を得る処理［β］と
の２つの処理を交互に行うことができるように構成されている、請求項４または５に記載の水処理装置。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
骨固定／融合デバイスであって、骨折線とともに、または異なる骨セグメント間で配置するために適合された本体を備え、
該本体の少なくとも一部分が、骨の内生長および／または貫通生長を許容する領域を含み、該本体が、ねじ山のない外表面、および細長い本体を含み、該細長い本体が、長手方向軸および該細長い本体の長手方向軸を横切る、直線で囲まれた断面を有する、骨固定／融合デバイス。
【請求項２】
前記直線で囲まれた断面が、三角形である、請求項１に記載のデバイス。
【請求項３】
前記直線で囲まれた断面が、矩形または方形である、請求項１に記載のデバイス。
【請求項４】
前記本体が、複合デバイスを形成するために別の骨固定／融合デバイスに連結する領域を含む、請求項１に記載のデバイス。
【請求項５】
前記外表面が、骨内生長を促進するためのテクスチャーである、請求項１に記載のデバイス。
【請求項６】
前記外表面が、多孔性である、請求項１に記載のデバイス。
【請求項７】
前記細長い本体が、チタン、チタン合金、タンタル、クロム、コバルト、または外科用スチールから作製される、請求項１に記載のデバイス。
【請求項８】
前記細長い本体が、抗生物質、抗血栓症剤、または骨誘導剤で覆われる、請求項１に記載のデバイス。
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
皮膚の広い範囲を研磨的に処置するシステムにおいて、
ａ）手持ち型電動式装置であって、前記電動式装置と接触状態に置かれた皮膚に運動を与えるよう配置されると共に構成された、手持ち型電動式装置と、
ｂ）使い捨ての皮膚接触可能要素と、
ｃ）連結器具であって、
ｉ）前記連結器具を前記電動式装置の表面に解放可能に連結するよう配置されると共に構成された第１の取り付け部分、および
ｉｉ）前記使い捨ての皮膚接触可能要素を前記連結器具に解放可能に連結するよう配置されると共に構成された第２の取り付け部分、
を含み、
前記第１の取り付け部分および前記第２の取り付け部分は、前記第１の取り付け部分と前記第２の取り付け部分との間で運動を伝えるよう連結され、前記第２の取り付け部分は、前記使い捨ての皮膚接触可能要素の防水性連結を行うよう配置されると共に構成されている、
連結器具と、
を含む、システム。
【請求項２】
前記皮膚処置要素は、繊維状構造体、および前記繊維状構造体に接着剤により結合された−２０℃を超えるガラス転移温度を有するポリマーを含む研磨系を含む、請求項１に記載の皮膚処置要素。
【請求項３】
前記研磨系は、５％〜３０％の、繊維に対する研磨系の重量比で存在している、請求項１または２に記載の皮膚処置要素。
【請求項４】
前記研磨系は、前記繊維状構造体の繊維に分布された複数個の別々の研磨ユニットを含む、請求項１から３のいずれか１つに記載の皮膚処置要素。
【請求項５】
前記別々の研磨ユニットは、０．０５ｍｍ〜０．５ｍｍの最大直線寸法を有する、請求項４に記載の皮膚処置要素。
【請求項６】
前記研磨系は、前記繊維上に形成された被膜を含む、請求項５に記載の皮膚処置要素。
【請求項７】
前記繊維状構造体は、不織布材料を含む、請求項１に記載の皮膚処置要素。
【請求項８】
前記不織布材料は、ニードルパンチ不織布材料を含む、請求項７に記載の皮膚処置要素。
【請求項９】
前記不織布材料は、１ｍｍ〜５ｍｍの厚さを有する、請求項７に記載の皮膚処置要素。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
遊技媒体を遊技領域に発射することにより遊技者が遊技を行い、予め定められた始動条件の成立に応じて複数種類の識別情報を変動表示させる変動表示手段に表示結果を導出し、特定表示結果となったときに遊技者にとって有利な特定遊技状態に制御する遊技機であって、
前記始動条件が成立したときに、前記変動表示手段での変動表示を行うためのデータを保留記憶として記憶する保留記憶手段と、
変動表示について特定表示結果とするか否かを、該変動表示の表示結果が導出されるよりも前に決定する特定決定手段と、
前記変動表示手段において識別情報を変動表示させ、前記特定決定手段の決定結果に応じた表示結果を導出させる変動表示演出を実行する変動表示実行手段と、
前記保留記憶手段に記憶された保留記憶のうちに特別な保留記憶が含まれているか否かを示唆する先読み予告を実行する先読み予告実行手段と、
複数種類の識別情報とは異なる複数種類の普通識別情報を変動表示させる普通変動表示手段と、
前記普通変動表示手段の表示結果が特定結果となったときに遊技媒体が入賞し易い有利状態に変化し、該入賞に応じて前記始動条件を成立させる可変入賞手段と、
前記普通変動表示手段の表示結果が特定結果となるときに、該表示結果が導出される以前に特定演出を実行する特定演出実行手段と、
前記可変入賞手段に入賞があったときに、該入賞が前記特定演出が実行された後に前記普通変動表示手段の表示結果が特定結果となって前記可変入賞手段が有利状態に変化したときの入賞である特定入賞か否かを判定する入賞判定手段と、を備え、
前記先読み予告実行手段は、前記入賞判定手段により特定入賞であると判定されたときに、該特定入賞による始動条件の成立に応じて記憶された保留記憶に対する先読み予告を、該特定入賞以外の始動条件の成立に応じて記憶された保留記憶に対する先読み予告とは異なる態様で実行し、
前記特定演出実行手段は、所定状態において、前記特定演出の実行を制限することを特徴とする遊技機。
【手続補正２】
【補正対象書類名】明細書
【補正対象項目名】０００６
【補正方法】変更
【補正の内容】
【０００６】
本発明は、このような背景のもとになされたものであり、その目的は、遊技媒体が入賞し易い有利状態になることの予告と、該予告による前記有利状態での入賞に対応する先読み予告とを関連付けて、遊技者に注目させることにある。
【手続補正３】
【補正対象書類名】明細書
【補正対象項目名】０００８
【補正方法】変更
【補正の内容】
【０００８】
まず手段１に係る発明は、
遊技媒体（遊技球）を遊技領域に発射することにより遊技者が遊技を行い、予め定められた始動条件の成立（普通入賞球装置６Ａに形成された第１始動入賞口を通過した遊技球が第１始動口スイッチ２２Ａによって検出され、第１特図保留記憶数が所定の上限値以下であること，又は普通可変入賞球装置６Ｂに形成された第２始動入賞口を通過した遊技球が第２始動口スイッチ２２Ｂによって検出され、第２特図保留記憶数が所定の上限値以下であること）に応じて複数種類の識別情報（特別図柄，飾り図柄）を変動表示させる変動表示手段（第１特別図柄表示装置４Ａ，第２特別図柄表示装置４Ｂ，画像表示装置５）に表示結果を導出し、特定表示結果（大当り図柄，小当り図柄）となったときに遊技者にとって有利な特定遊技状態（大当り遊技状態，小当り遊技状態）に制御する遊技機（パチンコ遊技機１）であって、
前記始動条件が成立したときに、前記変動表示手段での変動表示を行うためのデータを保留記憶として記憶する保留記憶手段（第１特図保留記憶部１５１Ａ，第２特図保留記憶部１５１Ｂ）と、
変動表示について特定表示結果とするか否かを、該変動表示の表示結果が導出されるよりも前に決定する特定決定手段（ステップＳ１１０の特別図柄通常処理を行う主基板１１のＣＰＵ１０３）と、
前記変動表示手段において識別情報を変動表示させ、前記特定決定手段の決定結果に応じた表示結果を導出させる変動表示演出を実行する変動表示実行手段（ステップＳ１１２の特別図柄変動処理とステップＳ１１３の特別図柄停止処理を行う主基板１１のＣＰＵ１０３，ステップＳ１７２の可変表示中演出処理を行う演出制御基板１２の演出制御用ＣＰＵ１２０）と、
前記保留記憶手段に記憶された保留記憶のうちに特別な保留記憶（例えばスーパーリーチを発生する保留記憶）が含まれているか否かを示唆する先読み予告を実行する先読み予告実行手段（Ｄ０３’で画像表示装置５の始動入賞記憶表示エリア５Ｈに先読み予告マークＨ２’「熱」を表示する処理を行う演出制御基板１２の演出制御用ＣＰＵ１２０）と、
複数種類の識別情報とは異なる複数種類の普通識別情報（普通図柄）を変動表示させる普通変動表示手段（普通図柄表示器２０）と、
前記普通変動表示手段の表示結果が特定結果（普図当り図柄）となったときに遊技媒体が入賞し易い有利状態（電動チューリップの可動翼片が傾動位置となる）に変化し、該入賞に応じて前記始動条件を成立させる可変入賞手段（普通可変入賞球装置６Ｂ）と、
前記普通変動表示手段の表示結果が特定結果となるときに、該表示結果が導出される以前に特定演出（普図当り報知）を実行する特定演出実行手段（画像表示装置５の普図連動演出実行エリア５Ｆに普図連動演出パターンＡ「○」を表示させるステップＳ６０８の処理を行う演出制御基板１２の演出制御用ＣＰＵ１２０）と、
前記可変入賞手段に入賞があったときに、該入賞が前記特定演出が実行された後に前記普通変動表示手段の表示結果が特定結果となって前記可変入賞手段が有利状態に変化したときの入賞である特定入賞か否かを判定する入賞判定手段（普図当り報知開始のｔ１経過後から普図当り報知終了までの間であるか否かを判定する演出制御基板１２の演出制御用ＣＰＵ１２０）と、を備え、
前記先読み予告実行手段は、前記入賞判定手段により特定入賞であると判定されたときに、該特定入賞による始動条件の成立に応じて記憶された保留記憶に対する先読み予告（緑色表示の先読み予告マークＨ２’）を、該特定入賞以外の始動条件の成立に応じて記憶された保留記憶に対する先読み予告とは異なる態様で実行し、
前記特定演出実行手段は、所定状態（例えばスーパーリーチの場合，第２保留記憶数が上限数である場合，高ベース状態である場合，又は大当り遊技状態である場合など）において、前記特定演出の実行を制限することを特徴とする遊技機である。
【手続補正４】
【補正対象書類名】明細書
【補正対象項目名】０００９
【補正方法】変更
【補正の内容】
【０００９】
これによれば、特定演出が実行された後に普通変動表示手段の表示結果が特定結果となって可変入賞手段が有利状態に変化したときの入賞である特定入賞による始動条件の成立に応じて記憶された保留記憶に対する先読み予告が、該特定入賞以外の始動条件の成立に応じて記憶された保留記憶に対する先読み予告とは異なる態様で実行されるので、特定入賞による始動条件の成立に応じて記憶された保留記憶について、遊技者の注目を集めることができる。
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
複数の図柄が外周面に描かれた複数の回転リールと、前記回転リールの中心に出力軸が結合されて前記複数の前記回転リールを回転駆動する複数のモータと、前記複数のモータがそれぞれ取り付けられ、上下両端部が、前記モータの出力軸に結合された前記回転リールの外周面よりも径方向外側に延出する複数の取付プレートと、前記複数の取付プレートの上下両端部がそれぞれ接合され、前記複数の取付プレート及びモータを介して前記複数の前記回転リールを回転自在に支持する支持フレームとを備えたリールユニットであって、
前記支持フレームは、正面側が開口して、側面側に設けられた側壁部と、背面側に設けられた背面部と、上方の天井側に設けられた天井板部と、下方の底側に設けられた底板部とを有する箱状に形成され、
前記支持フレームには、前記底板部、前記側壁部及び前記天井板部における当該支持フレームの正面側を囲む前縁に沿って連続的に延びるとともに、前記底板部、前記側壁部及び前記天井板部のそれぞれから突出する補強フランジ部が設けられ、
前記背面部は、前記回転リールにおける前記取付けプレートから後方にはみ出した部分を収容可能に湾曲して、前記取付プレートの後端部との間に隙間を形成する湾曲部を有していることを特徴とするリールユニット。
【手続補正２】
【補正対象書類名】明細書
【補正対象項目名】０００９
【補正方法】変更
【補正の内容】
【０００９】
（請求項１）
（特徴点）
請求項１記載の発明は、次の点を特徴とする。
すなわち、請求項１に記載された発明は、複数の図柄が外周面に描かれた複数の回転リール(20)と、前記回転リール(20)の中心に出力軸(31A)が結合されて前記複数の前記回転リール(20)を回転駆動する複数のモータ(31)と、前記複数のモータ(31)がそれぞれ取り付けられ、上下両端部が、前記モータ(31)の出力軸(31A)に結合された前記回転リール(20)の外周面よりも径方向外側に延出する複数の取付プレート(50)と、前記複数の取付プレート(50)の上下両端部(51，52)がそれぞれ接合され、前記複数の取付プレート(50)及びモータ(31)を介して前記複数の前記回転リール(20)を回転自在に支持する支持フレーム(40)とを備えたリールユニット(30)であって、前記支持フレーム(40)は、正面側が開口して、側面側に設けられた側壁部(41)と、背面側に設けられた背面部(42)と、上方の天井側に設けられた天井板部(43)と、下方の底側に設けられた底板部(44)とを有する箱状に形成され、前記支持フレーム(40)には、前記底板部(44)、前記側壁部(41)及び前記天井板部(43)における当該支持フレーム(40)の正面側を囲む前縁に沿って連続的に延びるとともに、前記底板部(44)、前記側壁部(41)及び前記天井板部(43)のそれぞれから突出する補強フランジ部(44A，41A，43A)が設けられ、前記背面部(42)は、前記回転リール(20)における前記取付けプレート(50)から後方にはみ出した部分を収容可能に湾曲して、前記取付プレート(50)の後端部との間に隙間を形成する湾曲部を有していることを特徴とする。
【手続補正３】
【補正対象書類名】明細書
【補正対象項目名】００１０
【補正方法】変更
【補正の内容】
【００１０】
本発明によれば、以下のような効果が得られる。
すなわち、本発明によれば、支持フレームの正面開口を囲む前縁に沿って連続的に延びるとともに、当該支持フレームの底板部、側壁部及び天井板部のそれぞれから突出する補強フランジ部を支持フレームに設け、この補強フランジ部で支持フレームを補強したので、支持フレームは、その正面及び側面が開口となっていても、また、軽量化のために、支持フレームの厚さ寸法をある程度まで削減しても、その剛性を充分に確保することができ、軽量化しても、内部の回転リールやモータを保護する機能等が何ら損なわれることがない。
ここで、補強フランジ部を支持フレームに設けても、補強フランジ部は、底板部、側壁部及び天井板部に設けられた単なる突条であるので、支持フレームの重量を重くするものではなく、補強フランジ部を支持フレームに設けても、支持フレームの軽量化を図ることができる。
そのうえ、支持フレームに両端部が接合された取付プレートとの間に、冷却空気が通過可能な隙間を形成したので、支持フレームに取り付けられたモータが発熱しても、取付プレートとの間に形成された隙間を通じて、冷却空気が取り込まれるとともに、熱気を外部へ逃がすことができ、モータを充分に冷却することができる。
従って、モータを充分に冷却できるようにしても、軽量化が充分に図ることができ、以上により、前記目的が達成される。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
薄板金属に孔開けすべき貫通孔の形状に一致する形状の貫通孔を有するダイスと、このダイスの貫通孔の外縁の形状に非相似の外形をもつと共にダイスと協働して薄板金属に貫通孔を形成するパンチ本体手段及びこのパンチ本体手段のダイスの貫通孔に面する一方の端面に一体的に設けられていると共に薄板金属に突き破り孔を形成する突き破り孔形成手段を有したパンチ手段とを具備しており、突き破り孔形成手段により薄板金属に突き破り孔を開け、突き破り孔に挿入された突き破り孔形成手段で薄板金属の移動を規制した状態でパンチ本体手段をダイスの貫通孔に挿入し、ダイスとパンチ本体手段との協働によりダイスの貫通孔の外縁で薄板金属を引っ張り破断させて薄板金属に貫通孔を形成するようになっており、パンチ本体手段は、ダイスの貫通孔の外縁の形状に非相似の外形をもった一個のパンチ本体を有しており、突き破り孔形成手段は、パンチ本体のダイスの貫通孔に面する一方の端面に一体的に設けられた錐状の突起を有しており、ダイスの貫通孔は、三角形を含む多角形、楕円形、長円形又は閉曲線形の形状を有しており、パンチ本体は、円形又は四角形の外形を有している薄板金属の孔開け装置。
【請求項２】
請求項１に記載の薄板金属の孔開け装置により薄板金属に貫通孔を形成する方法であって、突き破り孔形成手段により薄板金属に突き破り孔を開け、突き破り孔に挿入された突き破り孔形成手段で薄板金属の移動を規制した状態でパンチ本体手段をダイスの貫通孔に挿入し、ダイスとパンチ本体手段との協働によりダイスの貫通孔の外縁で薄板金属を引っ張り破断させて薄板金属に貫通孔を形成する方法。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
シートを保持して搬送する第一の印刷胴と、前記第一の印刷胴に保持されている前記シートに複数色の印刷を施す第一のデジタル印刷装置とを有する第一のデジタル印刷手段と、
前記第一のデジタル印刷手段から搬送された前記シートにニスをコーティングする第一のコータ手段と
を備えていることを特徴とするシート印刷機。
【請求項２】
請求項１に記載のシート印刷機において、
前記第一のコータ手段が、前記第一のデジタル印刷手段から搬送された前記シートを保持して搬送する第一のコータ胴と、前記第一のコータ胴に保持されている前記シートにニスをコーティングする第一のコータ装置とを有すると共に、
前記第一のデジタル印刷手段の前記第一の印刷胴からの前記シートを前記第一のコータ手段の前記第一のコータ胴へ搬送する搬送胴を当該第一の印刷胴と当該第一のコータ胴との間に奇数個配設し、
前記第一のデジタル印刷手段の前記第一の印刷胴及び前記第一のコータ手段の前記第一のコータ胴並びに前記搬送胴が、前記シートの端部を着脱可能に把持するくわえ爪装置をそれぞれ有している
ことを特徴とするシート印刷機。
【請求項３】
請求項２に記載のシート印刷機において、
前記第一のデジタル印刷手段の前記第一のデジタル印刷装置が、インクジェット式又は電子写真式のものである
ことを特徴とするシート印刷機。
【請求項４】
請求項３に記載のシート印刷機において、
前記第一のコータ手段のシート搬送方向下流側に配設されて当該第一のコータ手段からの前記シートの表裏を反転させるシート反転手段と、
前記シート反転手段のシート搬送方向下流側に配設されて前記シート反転手段で表裏を反転された前記シートを保持して搬送する第二の印刷胴及び当該第二の印刷胴に保持されている前記シートに複数色の印刷を施す第二のデジタル印刷装置を有する第二のデジタル印刷手段と、
前記第二のデジタル印刷手段のシート搬送方向下流側に配設されて前記第二のデジタル印刷手段から搬送された前記シートにニスをコーティングする第二のコータ手段と
を備えていることを特徴とするシート印刷機。
【手続補正２】
【補正対象書類名】明細書
【補正対象項目名】０００９
【補正方法】変更
【補正の内容】
【０００９】
また、本発明に係るシート印刷機は、上述したシート印刷機において、前記第一のコータ手段のシート搬送方向下流側に配設されて当該第一のコータ手段からの前記シートの表裏を反転させるシート反転手段と、前記シート反転手段のシート搬送方向下流側に配設されて前記シート反転手段で表裏を反転された前記シートを保持して搬送する第二の印刷胴及び当該第二の印刷胴に保持されている前記シートに複数色の印刷を施す第二のデジタル印刷装置を有する第二のデジタル印刷手段と、前記第二のデジタル印刷手段のシート搬送方向下流側に配設されて前記第二のデジタル印刷手段から搬送された前記シートにニスをコーティングする第二のコータ手段とを備えていることを特徴とする。